(57)【要約】  【目的】  インキ流通孔内にバリを発生させないことで、ボールを先端方向に付勢する弾撥部材などの他部材の挿入を確実にし、安定して生産のできるボールペンチップを提供する。  【構成】  内方突出部のボールと反対側の後部に内方突出部の形成範囲内における横断面隙間内に描き得る最大内接円径よりも大径の後孔とを形成すると共に、内方突出部に、底部が後孔と略同一平面となるインキ通溝を形成したボールペンチップ。【選択図】        図１
2008213193.tif 000002
【特許請求の範囲】
【請求項１】
筆記部材としてのボールと、これを収容するボールホルダーとから少なくともなり、ボールホルダーのインキ通孔内に、ボールを先端開口部より一部突出して抱持するボール収容室と、ボールの後退規制部となる内方突出部と、該内方突出部のボールと反対側の後部に内方突出部の形成範囲内における横断面隙間内に描き得る最大内接円径よりも大径の後孔とを形成すると共に、内方突出部に、底部が後孔と略同一平面となるインキ通溝を形成したボールペンチップ。
【発明の詳細な説明】
【技術分野】
【０００１】
本発明は、筆記部材としてのボールと、このボールを、インキ通孔の開口部より一部突出しつつ回転自在に抱持するボールペンチップに関する。
【背景技術】
【０００２】
ボールペンのペン先部材であるボールペンチップは、筆記部材であるボールと、そのボールの一部をインキ通孔の先端開口部より突出した状態で回転自在に抱持するボールホルダーとから基本的に構成されている。ボールを、インキ通孔の開口部より一部突出状態とするために、ボールの後方移動規制をする必要があり、インキ通孔内に内方突出部を形成しているが、内方突出部はインキ通路のインキの通過できる面積を減少させるものとなるので、内方突出部にボールの後退規制を阻害せずに、インキの通過量を確保できるインキ通溝を形成すると共に、その有効断面積を無駄なく使用できるように、少なくともそこに至るまでのインキ供給量を多いものとなす大径の後孔を形成している。（特許文献１参照）。
【特許文献１】特開平１１−３４８４８５号
【発明の開示】
【発明が解決しようとする課題】
【０００３】
特許文献１に示されているもののように、インキ通孔は放射状に複数形成されることが一般的であるが、後孔を大径とするために、インキ通孔底部の位置よりも後孔の壁面の位置が軸心に対して外側に位置することになり、両者間に段部が形成される。この段部は、インキ通溝を形成する際の剪断加工にて剥ぎ取られた部分が、剪断力が解除される位置となり、該部に剥ぎ取られた部分がボールホルダーの部材から離脱せずに所謂バリと呼ばれる設計外の突出部分として残ってしまう。このバリは、インキの流通に対する障害となる可能性があると共に、ボールを先端方向に付勢する弾撥部材などの他部材を挿入する際の障害となるという問題があり、安定な量産のためには、極力発生しないことが好ましい。
【課題を解決するための手段】
【０００４】
即ち、本発明は、筆記部材としてのボールと、これを収容するボールホルダーとから少なくともなり、ボールホルダーのインキ通孔内に、ボールを先端開口部より一部突出して抱持するボール収容室と、ボールの後退規制部となる内方突出部と、該内方突出部のボールと反対側の後部に内方突出部の形成範囲内における横断面隙間内に描き得る最大内接円径よりも大径の後孔とを形成すると共に、内方突出部に、底部が後孔と略同一平面となるインキ通溝を形成したボールペンチップを要旨とするものである。
【発明の効果】
【０００５】
内方突出部に形成するインキ通溝を、底部が後孔と略同一平面とすることによって、インキ通溝を形成する剪断加工にて発生する肉の削り取られる部分を、内方突出部の終点である後孔の開口部分にて切り落とすことができる。
【発明を実施するための最良の形態】
【０００６】
ボールペンチップは、少なくとも筆記部材としてのボールと、このボールを回転自在に抱持するボールホルダーとからなっている。
ボールは、タングステンカーバイドやシリコンカーバイドなどを主成分とした焼結体製のボールを使用でき、ボールホルダーは、ステンレス、洋白、真鍮などの合金が好ましく使用される。
ボールホルダーは、インキ通孔を貫通しており、そのインキ通孔は、大まかに分けて、ボールを開口部から一部突出して抱持するボール抱持室、ボールの後退位置を規制する内方突出部による中心孔、インキタンクからのインキの流入孔となる後孔を備えている。
【０００７】
ボール抱持室は、インキ吐出口となる開口部を、カシメ加工などによって、ボールの直径より縮径してボールの抜け止めをなし、ボールの後退規制部である内方突出部までの間にボールとの隙間部分をインキが流れる部分である。このインキ抱持室の径を大径にして、比較的大量のインキを保持するようなすこともできる。吐出されて筆跡となるインキの量は、開口部とボールとの隙間の大きさによって影響を受け、開口部の径寸法設定や、ボールの前後の移動可能距離などを調整して、インキの吐出量を調整することができる。また、先端よりのインキ漏れを防止するために、ボールを先端方向に付勢するコイルスプリングなどの弾撥部材を設置しておくこともできる。
【０００８】
内方突出部は、ボールの後退規制をなせばよいため、極力インキ流通を阻害しないことが好ましいが、落下などの衝撃が付与された場合のインキの逆流に対する障害ともなりえることを考慮して形成されることが好ましい。インキ通孔として、中心孔とそれと漣通したインキ通溝を形成しているが、筆記方向によってインキの流れが左右され難いことが好ましいので、インキ通孔は、中心孔を中心として放射状に形成されることが好ましい。
中心孔の形成は、ドリルのような加工具で形成すればよく、放射状のインキ通孔は、ブローチと称される断面が孔の形をした剪断加工刃物で形成すればよい。
【０００９】
後孔は、インキタンクまたはインキタンク部材との中継部材を通じてインキの流入口となる部分であるり、十分なインキ供給量を確保するために大径となすことが好ましい。そして、インキ通溝の開口部分においては、インキ通孔の底部と段のない平面で連続していることが必要であるので、インキ通溝の底部との位置あわせのために、前方に向かって次第に縮径するテーパー状または階段状の壁面とすることもできる。
【００１０】
このようなボールペンチップを使用するボールペンの本体としては、インキタンクは、金属製、合成樹脂製など種々の材質が使用可能であるが、蒸気透過性などを考慮する必要がある。合成樹脂では、透明性のポリプロピレン樹脂の押出成形パイプが、製造の容易さやインキ色の視認性などから好適に使用される。この押出成形パイプに、着色を施したり、顔料や体質材などを配合することなども適宜である。
インキタンクにおけるインキの収容状態は、繊維集束体などのインキ吸蔵体に吸蔵保持したインキをインキ収容部に配置するものや、そのようなインキ吸蔵体を使用せずに、容器内に自由状態のインキを直接充填した、所謂生インキ式のものなどが使用できる。
また、使用されるインキは、水を主媒体とする水性インキ、有機溶剤を主媒体として実質的に水を配合しない油性インキのいずれも使用可能であり、着色剤も染料、顔料共に使用可能である。
更に、ボールペンチップのインキ吐出口である開口部に接触しつつ開口部を封するゴムなどの弾性材料を備えるキャップ式のものの他に、このようなキャップを備えず、操作によってボールペンチップを先端に備えるリフィルを外装体の先端より出没可能とした、出没式のボールペンとすることもできる。
【００１１】
図１に示したものは、本発明の一例を示す、ボールペンチップの縦断面図である。
図２は図１におけるＡ−Ａ’断面矢視図である。
先端に筆記部材となるボール１を、ボールホルダー２の先端部に一部を突出した状態で回転自在に抱持しており、その先端開口部２ａはボールの脱落を防止するようにボール１の外径よりも僅かに小径になるように構成されている。また、ボールホルダー２の先端近傍に設置された内方突出部２ｂは、ボール１の後方への移動を規制している。ボールホルダー２は、インキ通路としての貫通孔を有しており、この貫通孔は、先端開口部２ａと内方突出部２ｂとでボール１の前後移動を規制したボール抱持室３と、そのすぐ後方でボール１よりも小径となる、内方突出部２ｂが形成する連通孔の小径部４と、さらに内方突出部の後部に配置された後穴５とからなっている。
【００１２】
内方突出部２ｂには、インキの流通可能な複数のインキ通溝６が、小径部４とボール抱持室３とに開口し、後穴５に連通している。内方突出部２ｂのボール１と反対側の後部７には、内方突出部２ｂの形成範囲内における横断面隙間内に描き得る最大内接円径よりも大径の後孔５とを形成すると共に、内方突出部２ｂに、底部が後孔５と略同一平面となるインキ通溝６が形成される。
【図面の簡単な説明】
【００１３】
【図１】本発明の一例を示す縦断面図。
【図２】図１のＡ−Ａ’断面矢視図。
【符号の説明】
【００１４】
１  ボール
２  ボールホルダー
２ａ  先端開口部
２ｂ  内方突出部
３  ボール抱持室
４  小径部
５  後穴
６  インキ通溝
【図１】
2008213193.tif 000003
【図２】
2008213193.tif 000004